(57)【要約】【課題】モバイルネットワーク上のＵＭＴＳ層とＩＰ層とを横切って一致したエンドツーエンドＱｏＳを簡単に提供すること。【解決手段】モバイルネットワーク（１１０）とデータネットワーク（１４０，１４５）との間において、及び、ＵＭＴＳ層とＩＰ層との間において、ＱｏＳパラメータをマルチメディアピン具するためにＮＯＣポリシーサーバ（２００）が用いられる。このポリシーサーバは、ＳＧＳＮ（１１５）とＧＧＳＮ（１３５）との間に結合されている。【選択図】図１
2008072763.tif 000002
【特許請求の範囲】
【請求項１】
少なくとも１つのＳＧＳＮ（serving general packet radio service support node）と少なくとも１つのＧＧＳＮ（gateway general packet radio service support node）とを含むサポートノードを備えたモバイルネットワークにおける方法であって、
前記モバイルネットワークにおける２つの層の間においてクオリティオブサービスをマッピングするための少なくとも１つのマッピングルールを、ポリシーサーバに記憶する段階と、
前記サポートノードのうちの少なくとも１つのサポートノードからリクエストを受信する段階と、
前記ポリシーサーバから前記少なくとも１つのサポートノードに対して少なくとも１つのマッピングルールを送信する段階と、
を含むことを特徴とする方法。
【発明の詳細な説明】
【技術分野】
【０００１】
本発明はモバイルＩＰネットワークに係るものであり、そして具体的に言えば、モバイルＩＰネットワークを横切るＵＭＴのＱｏＳとＩＰのＱｏＳとの間での一致したＱｏＳ管理に係るものである。
【背景技術】
【０００２】
モバイル通信装置とモバイルネットワークの発展は急速である。最初、アナログモバイルネットワークでは音声交信と簡単な連絡もしくはページングができた。その後、デジタルモバイルネットワークで音声とデータ交信、例えば暗号化、交信している相手方の認知、短文メーッセージ（ＳＭＳ）、文書メッセージができるようになった。最近の第三世代（３Ｇ）モバイルＩＰネットワークテクノロジではユーザーが簡単に内容豊富なメディア、情報そして娯楽にモバイルデバイスでアクセスできるようになった。
【０００３】
モバイルデバイスとモバイルネットワークが発展するにつれて、そして一層多くのデータをユーザが入手できるようになるにつれて、サービスプロバイダーは彼等のユーザーに必要に基づいて異なるレベルのサービスを提供し始めた。例えば、個々の加入者がゲームをするよりもビジネスの方が高度な経済取引のためのサービスを必要とする。様々なサービスクラスがあるということでサービスプロバイダーはネットワーク上で利用できるバンド幅を最も効果的に利用していくようになる。さらに、サービスクラスがあるのでサービスプロバイダーは彼等のユーザーのため最低限のサービスの品質（ＱｏＳ）を設定するようになる。
【０００４】
第三世代のモバイルネットワークにおいて少なくとも２つの異なるＱｏＳの層はＩＰベースのコアネットワークにおいて管理される必要がある。これら２つの層はユニバーサルモバイルテレコミュニケーションシステム（ＵＭＴＳ）の層のＱｏＳとＩＰ層ディフサーブのＱｏＳを含む。ＵＭＴＳの層のＱｏＳはＩＰ層ディフサーブのＱｏＳが提供するサービスを利用する。これら２つのＱｏＳ層の間での一致したマッピングはエンドツーエンドＱｏＳを達成する上で重要である。昔は2つのＱｏＳ層の間でのマッピング法は制限されており、実施困難であった。
【０００５】
あるネットワーキングプロダクトはＵＭＴＳのＱｏＳ層とＩＰのＱｏＳ層との間のハードコード化したマッピングルールを、モバイルネットワークにおけるサービングジェネラルパケットラジオサービスサポートノード（ＳＧＳＮ）とゲートウエイジェネラルパケットラジオサービスサポートノード（ＧＧＳＮ）とに有している。しかしこのアプローチは規定のルールへのマッピングを制限している。
【発明の開示】
【発明が解決しようとする課題】
【０００６】
必要なことは、モバイルネットワーク上のＵＭＴＳ層とＩＰ層とを横切って一致したエンドツーエンドＱｏＳを簡単に提供する方法である。これらのことを考慮して本発明はなされている。
【０００７】
上述の欠点、不具合そして問題の解決を本発明は目的としているのであり、以下の説明から本発明は理解されよう。
【課題を解決するための手段】
【０００８】
本発明を一つの局面で見れば、モバイルネットワークのためのＵＭＴＳ層のＱｏＳとＩＰ層のＱｏＳのためのマッピングメカニズムが提供されている。ポリシーサーバがマッピングメカニズムを維持し、そしてポリシーサーバはモバイルネットワーク上でサポートノードへ結合されている。このポリシーサーバはモバイルネットワークを横切ってサポートノードへマッピングルール送る責任がある。
【０００９】
本発明を別の局面で見れば、ポリシーサーバとサポートノードとは３つのマッピングメカニズムを使っている。それらはアウトソーシングメカニズム、プロビジョニングメカニズムそしてハイブリッドメカニズムである。アウトソーシングメカニズムはポリシーサーバを使ってすべてのパケットデータプロトコール（ＰＤＰ）コンテクストイベントを処理し、そして適切なサポートノードへ適切なルールを供給する。プロビジョニングメカニズムではポリシーサーバは、どのＰＤＰコンテクストイベントよりも前にモバイルネットワークを横切って各サポートノードへ対応マッピングルールをプッシュダウンする。ハイブリッドメカニズムはアウトソーシングメカニズムとプロビジョニングメカニズムの組合せを使っている。これらのメカニズムはネットワークを横切ってＵＭＴＳ対ＩＰのＱｏＳ一致のマッピングを保証し、そして多くの利点を提供する。
【００１０】
本発明をさらに別の局面で見れば、アウトソーシングメカニズムは多くの利点を提供している。例えば、ポリシーサーバはサポートノードに比して、多くの複雑なマッピングルールを扱う。ポリシーサーバがＰＤＰコンテクストイベントに関する決定をするからである。それ故、モバイルネットワーク上のサポートノードは複雑なロジックを記憶したり、実行することはない。加えて、ＳＧＳＮとＧＧＳＮとがポリシーサーバからそれらのマッピングを取得するので、ＱｏＳはユーザに対して一定している。
【００１１】
本発明をさらに別の局面で見れば、プロビジョニングメカニズムは多くの利点を提供している。一旦、マッピングルールがサポートノードへプッシュダウンされると、ポリシーサーバはコールバイコール決定に巻き込まれることはなく、それによりポリシーサーバのリゾースは節約される。加えて、マッピングルールをリアルタイムでプッシュダウンすることは必要ではなく、それにより処理電力、バンド幅、ポリシサーバに関する信頼性要請を少なくできる。
【００１２】
本発明をさらに別の局面で見れば、ハイブリッドメカニズムは多くの利点を提供している。ハイブリッドメカニズムは拡張しても複雑にならないようになっている。ユーザーが動いている場合にはユーザーの特定のマッピングルールがユーザーの一次のＳＧＳＮとＧＧＳＮとへデフォルトルールとしてプッシュダウンされる。ユーザーが動いていており、そして他のＳＧＳＮとＧＧＳＮとを使っているときはこれらのサポートノードはポリシーサーバにユーザーのため関連のマッピングをダウンロードすることを頼む。さらに、複雑なルールはポリシーサーバにより保持され、支持ノードに対してかなりのリソースをフリーにする。
【００１３】
本発明をさらに別の局面で見れば、ＱｏＳプロファイルにおける属性とＰＤＰコンテクストで運ばれる移動局（モバイルステーション）インテグレーテッドサービスデジタルネットワーク（ＭＳＩＳＤＮ）のナンバーを使ってマッピングルールを発生する。関連のＱｏＳプロファイル属性は、他にもあるが、トラヒッククラス，最大ビットデータ、保証されたビットレート、転送遅延、トラヒック処理優先、そして配分／留置優先である。
【発明を実施するための最良の形態】
【００１４】
本発明の実施例を以下に添付図を参照して詳述するが、これはあくまで本発明の例示に過ぎない。実施例はいずれも詳細に説明されていて当業者であれば十分に実施でき、また本発明の技術思想の範囲内で変更することもできる。実施例は本発明を限定するものではなく、本発明の技術思想は請求の範囲により規定されている。
【００１５】
明細書と請求の範囲を通して以下の用語は、特にその文脈から他の意味に解釈しなければならない限り、ここに明示しているとおりの意味である。用語、サポートノードは「ＧＧＳＮノード」と「ＳＧＳＮノード」との両方を参照している。用語「ＰＤＰコンテクストイベント」はパケットデータプロトコール（ＰＤＰ）コンテクストアクチベーション、ディアクチベーションもしくはモディフイケーションプロシージャである。用語「ユーザー」はモバイルネットワークを介してリソースと交信したり、アクセスするためモバイルデバイスを用いる会社、組織のような顧客や個人を参照する。用語「オペレーター」はモバイルネットワークを保持しもしくはそれにサービスする技能者もしくは組織を参照する。用語「識別子」はＭＳＩＳＤＮナンバー、ＩＰアドレスもしくはユーザの場所もしくはユーザの特定もしくは認識に関するなにか他の情報である。用語、「知られた」、「知る」はこれらの用語「知られた」、「知る」をそれと一緒に使ったノードもしくは他のネットワークのノードにおけるローカルな蓄積を参照している。添付図では同じ部分には同じ参照数字を付けている。加えて、単数で表現していても開示したものに符合するよう複数と解釈することもある。
【００１６】
作動環境の例示
図1を参照する。この例示としてのモバイルＩＰネットワークで本発明は実施される。図に示すように、モバイルネットワーク１００は移動局（ＭＳ）１０５、ラジオアクセスネットワーク１１０、ＳＧＳＮ１１５、コアネットワーク１２０、ルーター１２５A‐C、ネットワークオペレーションセンター（ＮＯＣ）内のポリシーサーバ２００、ＧＧＳＮA‐B、データネットワーク１４０そしてデータネットワーク１４５を含んでいる。
【００１７】
モバイルネットワーク１００の接続と動作を説明する。ＭＳ１０５はラジオアクセスネットワーク１１０へ接続されている。一般に、ＭＳ１０５はアクセスネットワーク１１０のような無線ネットワークへ接続できるどのようなデバイスでもよい。そのようなデバイスには携帯電話、スマートフォーン、ページャー、無線周波数（ＲＦ）デバイス、赤外線（ＩＲ）デバイス、これらのデバイスの幾つかを組み合わせた集合デバイスなどである。ＭＳ１０５の他にも、パーソナルデジタルアシスタント（ＰＤＡ）のような無線インターフエース、手持ちコンピュータ、パソコン、マルチプロセッサシステム、マイクロプロセッサベースのもしくはプログラマブルコンシューマエレクトロニクス、ネットワークＰＣ、身につけれるコンピュータなどがある。
【００１８】
ラジオアクセスネットワーク１１０はＭＳ１０５のような無線交信可能のデバイスと情報のやり取りをする。ラジオアクセスネットワーク１１０は無線と有線の両方の要素を含んでいることもある。例えば、ラジオアクセスネットワーク１１０は有線電話ネットワークへリンクしたセルラータワーを含んでいる。典型的にはこのセルラータワーは携帯電話、ページャーそして他の無線デバイスと交信し、そして有線電話ネットワークは通常の電話、長距離回線リンクなどと交信する。
【００１９】
あるノードはジェネラルパケットラジオサービス（ＧＰＲＳ）ノードである。例えば、サービングＧＰＲＳサポートノード（ＳＧＳＮ）１１５はラジオアクセスネットワーク１１０を介してＭＳ１０５のような移動局とデータをやり取りする。ＳＧＳＮ１１５はＭＳ１０５に関する位置情報を保持している。ＳＧＳＮ１１５はコアネットワーク１２０を介してＭＳ１０５とゲートウエイＧＰＲＳサポートノード（ＧＧＳＮ）１３５A‐B、との間で交信させる。本発明の一実施例ではインターネットエンジニアリングタスクフォース（ＩＥＴＦ）スタンダードカンマンオープーンポリシー（ＣＯＰＳ）プロトコールを使ってサポートノードとネットワークオペレーションズセンター（ＮＯＣ）ポリシーサーバ２００との間で交信する。ＰＤＰコンテクストイベントのときＳＧＳＮ１１５は、ＭＳ１０５により所望のコンテクストをアクチベートまたは活性させ、ＰＯＰコンテクストをモディフィケートまたは修正することをチェックする。ＳＧＳＮはポリシーサーバ２００からマッピングルールを与えられてＰＤＰコンテクストイベントを処理する。ＰＤＰコンテクストイベントはＭＳ１０５に関するアクチベーション、デアクチベーションもしくはモディフィケーションプロシージャであり得る。一般に、ＰＤＰコンテクストイベントが起きるときとはＭＳ１０５がラジオアクセスネットワーク１１０にそれがＰＯＰコンテクストにアクチベートしたいと伝えるときである。
【００２０】
コーンネットワーク１２０はＩＰパケットベースのバックボーンネットワークで、これはネットワーク内のサポートノードを接続しているルーター１２５A‐Cのようなルーターを含んでいる。ルーターはメッセージの配布を促進する交信ネットワーク上の中間デバイスである。つながっている接続網を介して多くのコンピュータをリンクする単一のネットワーク上でルーターは送られたメッセージを受け取り、そしてそれらを利用できるルートを介してそれらの正しい行き先に送る。異なるアーキテクチャとプロトコールに基づいているＬＡＮを含む相互に接続されている一組のＬＡＮではルーターはＬＡＮとＬＡＮとの間のリンクとして働き、相互間でメッセージを送れるようにする。ＬＡＮ内の交信リンクは典型的には対となった縒り線、ファイバーオプティックスもしくは同軸ケーブルであり、ネットワークとネットワークとの間の交信リンクはアナログ電話線、Ｔ１、Ｔ２、Ｔ３、Ｔ４を含む全面的にもしくは部分的に提供されているデジタルライン、インテグレーテッドデジタルネットワーク（ＩＳＤＮ）、デジタルサブスクライバーライン（ＤＳＬ）、無線リンクもしくは他の通信リンクである。
【００２１】
ＧＧＳＮ１３５A‐Bはルーター１２５A‐Cを介してコアネットワーク１２０へ結合され、そしてネットワーク１４０やネットワーク１４５のようなデータネットワークへの無線ガイドウエイとして働く。ネットワーク１４０、１５０は公共のインターネットもしくは私的なデータネットワークである。ＧＧＳＮ１３５A‐BはＭＳ１０５にネットワーク１４０とネットワーク１４５にアクセスさせる。
【００２２】
通信媒体を介してコアネットワーク１２０へＮＯＣポリシーサーバ２００は結合している。ポリシーサーバ２００はマッピングルールに従ってオペレーターによってプログラムされ、ＵＭＴＳのサービス品質（ＱｏＳ）をモバイルＩＰネットワーク１００のためＩＰＱｏＳマッピングへと管理する。詳しく言えば、オペレーターはモバイルＩＰネットワーク１００上のサポートノードにより使われるマッピングルールを発生してエンドーツーエンドＱｏＳを保証するのを助ける。これらのマッピングルールはポリシーサーバ２００によりサポートノードへ供給される。ポリシーサーバ２００は幾つかのＱｏＳマッピングメカニズムのどれかを使ってマッピングルールを発生し、そしてそれらのルールをサポートノードへ与える。これらのメカニズムはアウトソーシングメカニズム、プロビジョニングメカニズムそしてハイブリッドメカニズム（図３−８とその関連記載参照）を含む。
【００２３】
ＵＭＴＳクラスをディフサーブクラスにマップできるというだけでなくオペレータは特定のユーザーやユーザーグループのためＱｏＳプロファイルにおける他の属性に従ってサービスを識別できる。例えば、ユーザーグループＡからの会話トラヒックがエクスペダイテッドフォワーディング（ＥＦ）クラスで搬送でき、ユーザーグループＢからの会話トラヒックがアシュアードフォワーディング（ＡＦ）クラスで搬送できる。ＭＳ１０５の特定のユーザーはこれらのユーザーグループの中の一つに、ＳＧＳＮサポートノードとＧＧＳＮサポートノードとの両方に知られているユーザーの移動局インテグレーテッドサービスデジタルネットワーク（ＭＳＩＳＤＮ）ナンバーにより識別される。
【００２４】
ポリシーサーバを使ってエンドーツーエンドＱｏＳを確実にする助としていることが多くの利点をもたらす。同じアプリケーショントラヒックに対して異なるＱｏＳを与える融通性をオペレーターに持たせれる。例えば、会話トラヒックをコアネットワークにおけるＥＦクラスもしくはＡＦクラスのどちらにでもマップできる。クラス毎に異なるチャージングストラクチャーをオペレーターは採用できる。また、オペレーターの仕事量を減らせる。モバイルＩＰネットワークを横切ってサポートノードを個別に形成する代わりにオペレーターはポリシーサーバでマッピングルールを一度で形成できる。それからポリシーサーバはモバイルＩＰネットワークを横切ってマッピングルールを配布する。さらに、マッピングルールが発生され、そしてポリシーサーバから直接くるので、ＵＭＴＳＱｏＳからＩＰＱｏＳへのマッピングはモバイルＩＰネットワークを横断して一致している。マッピングルールはＱｏＳにおける関連の属性とＰＤＰコンテクストにおいて運ばれる識別子とを使う。本発明の一実施例によればＭＳＩＳＤＮナンバーをユーザーの識別子として使用する。関連の属性は他にもあるが、トラヒッククラス、最大ビットレート、保証されたビットレート、転送遅延、トラヒック処理優先そして割当／留置優先である。発信源もしくは行き先のＭＳＩＳＤＮナンバーはカードで言えば何にでも使える鬼札を含んでおり、その場合ＱｏＳプロファイル属性はディファレンシエーテッドサービスコードポイント（ＤＳＣＰ）を決定する。ＤＳＣＰに加えて、マッピングルールはメータリングパラメータとアウトプロファイルアクションも含んでいる。メータリングパラメータは例えば平均レート、バーストサイズそしてピークレートのようなパラメータである。
【００２５】
ＩＰパケットヘッダーにおけるＤＳＣＰフイールドを使ってパケットをクラスに区分してエンドツーエンドＱｏＳを確実にするのを助けるようにする。ＤＳＣＰは、サービスのクラスを決めるＩＰパケットヘッダーにおける６ビットフイールドである。ＤＳＣＰと他のＱｏＳメカニズムはサービスプロバイダーを助けてそれらのリソースをモバイルＩＰネットワーク上で配分し、例えばパケットバイパケットベースでバンド幅を配分してユーザーの要求に応える。ポリシーサーバ２００はサポートノードへマッピングルールを送りＤＳＣＰビットを変えて特定のユーザーとのサービスレベルアグリーメント（ＳＬＡ）に基づいてＱｏＳを維持する。さらに、ルーター１２５A‐CはＤＳＣＰビットに働きかけてユーザーのためのＱｏＳを維持する。例としてのポリシーサーバは図２を参照して詳述する。
【００２６】
さらに、コンピュータと他の関連の電子デバイスがネットワーク１４０とネットワーク１４５とへ接続されている。公共インターネット自体は多数のそのような相互接続されたネットワーク、コンピュータ、ルーターから形成されている。モバイルＩＰネットワーク１００は図１に示す要素よりも多くの要素を含んでいる。しかしながら、この図示の要素だけで本発明の実施例を説明するのに十分である。
【００２７】
上に述べた通信リンクにおいて情報を伝達するのに使用する媒体は、コンピュータが読めるタイプの媒体、すなわち通信媒体である。一般に、コンピュータが読める媒体とはコンピュータがアクセスできる媒体であればなんでもよい。典型的な通信媒体は、コンピュータが読める命令、データ構造、プログラムモジュールもしくは搬送波のような変調データ信号内のデータや他の転送メカニズム内のデータであり、どのような情報配布媒体でもよい。術語「変調されたデータ信号」とは、信号に情報を符号化するような仕方で一つもしくはそれ以上の特性を変えられている信号のことである。例として、通信媒体は、対となった縒り線、同軸ケーブル、ファイバーオプティックス、導波管、他の有線媒体や無線媒体例えば音響、ＲＦ、赤外線その他の無線媒体を含む。
【００２８】
図２の示す例としてのポリシーサーバはモバイルＩＰネットワークを横切ってマッピングルールをＳＧＳＮとＧＧＳＮとの両方へ与える。したがって、ポリシーサーバ２００はマッピングルールに関するデータを送受する。例えば、モバイルＩＰネットワーク上でポリシーサーバ２００はマッピングルールを送り、そしてＳＧＳＮとＧＧＳＮとからデータを受ける。
【００２９】
ポリシーサーバ２００は図２に示すよりも多くの要素を含んでいる。しかしながら、示されている要素だけで本発明の実施例を示すに十分である。図２に示すように、ポリシーサーバ２００はコアネットワーク１２０や他の通信ネトワークにインターフエースを介して接続されている。ネットワークインターフエース２１０はポリシーサーバ２００をコアネットワーク１２０へ接続するのに必要な回路を含み、そしてＴＣＰのトップで作動しているＣＯＰＳプロトコールを含む様々な通信プロトコールで使用できるようネットワークインターフエース２１０は構成されている。他の通信プロトコールも使える。それらは例えば、ＵＤＰプロトコールである。典型的にはネットワークインターフエースユニット２１０はポリシーサーバ２００内に含まれるカードである。
【００３０】
ポリシーサーバ２００は処理ユニット２１２、ビデオディスプレイ２１４、マスメモリも含んでおり、すべてバス２２２を介して接続されている。マスメモリはＲＡＭ２１６、ＲＯＭ２３２そして一つもしくはそれ以上の恒久的なマスメモリ、例えばハードディスクドライブ２３８、テープドライブ、ＣＤ‐ＲＯＭ／ＤＶＤ‐ＲＯＭドライブ２２６、及び又はフロッピディスクドライブを含む。このマスメモリはポリシーサーバ２００の動作を制御する作動システム２２０を蓄積する。この要素は当業者なら知っている汎用サーバ作動システム２２０例えばＵＮＩＸ（登録商標）、ＬＩＮＵＸ（商標）もしくはマイクロソフトのウインドウＮＴ（登録商品名）を備えている。ベーシックインプット／アウトプットシステム（“ＢＩＯＳ”）２１８もポリシーサーバ２００の低レベル作動を制御するため設けられている。
【００３１】
上述のマスメモリは別のタイプのコンピュータが読める媒体すなわちコンピュータ記憶媒体を示している。コンピュータ記憶媒体は揮発性と不揮発性、除去できる、そして除去できない媒体を含んでおり、それらはコンピュータが読める命令、データ構造、プログラムモジュールその他のデータのような情報の蓄積の技術と方法において使われている。コンピュータ記憶媒体の例はＲＡＭ、ＲＯＭ、ＥＥＲＯＭ、フラッシュメモリや他のメモリ技術、ＣＤＲＯＭ、デジタルバーサタイルディスク（ＤＶＤ）や他のオプティカルメモリ、磁気カセット、磁気テープ、磁気ディスク、その他の磁気記憶デバイスもしくは所望の情報を記憶するのに使い、コンピュータによりアクセスできる媒体を含む。
【００３２】
マスメモリはポリシーサーバプログラム２３０のためプログラムコードとデータ（図面と以下の関連記述参照）そしてプログラム２３４を蓄積する。ポリシーサーバプログラム２３０はコンピュータ実行可能の命令を含んでおり、この命令はポリシーサーバコンピュータ２００が実行するときは、ＵＭＴＳ層とＩＰ層とを横切ってＱｏＳルール一致を保持する。ポリシーサーバ２００はＪＡＶＡ（登録商標）バーチャルマシーン、ＨＴＴＰリクエストを受け渡しするＨＴＴＰハンドラーアプリケーション、顧客のコンピュータ上で作動するＷＷＷブラウザーへ転送するＪＡＶＡ（登録商標）アプレット、ＩＰセックハンドラー、トランスポートレイヤセキュリティ（ＴＬＳ）ハンドラーそして確実な接続を扱うＨＴＴＰＳハンドラーアプリケーションを含む。ＩＰセックハンドラーもしくはＴＬＳハンドラーのどちらもＣＯＰＳプロトコールのためのセキュリティ保護を与えるのに使われる。ＨＴＴＰＳハンドラーアプリケーションは外部セキュリティアプリケーションと一緒に通信のため使われて確実な仕方で個人の情報を送受する。
【００３３】
ポリシーサーバ２００も、マウス、キーボード、スキャナーもしくは他の入力デバイス（図２には示されていない）のような外部デバイスとの交信のための入力／出力インターフエース２２４を備えている。同様に、ポリシーサーバ２００はＣＤ‐ＲＯＭ／ＤＶＤ‐ＲＯＭドライブ２２６のような付加的なマスメモリとハードディスクドライブ２２８とを備えている。ハードディスクドライブ２２８はポリシーサーバ２００により使われて他にもあるが、アプリケーションプログラム、データベースそしてサーバプログラム２３０により使われるプログラムデータを蓄積する。例えば、ＱｏＳマッピングルール、ユーザーデータベース、関連のデータベースなど蓄積される。
【００３４】
ポリシーをベースとしたメカニズム
ネットワークを横切ってサポートノード上にマッピングポリシーを展開するポリシーをベースとしたメカニズム実施するポリシーサーバ３００の全体を図３に示す。開始ブロックの後でプロセスはブロック３１０へ進み、その点でネットワーク上のサポートノードはポリシーサーバに登録する。本発明の一実施例ではブートアップ上でＳＧＳＮとＧＧＳＮのそれぞれがＩＥＴＦＣＯＰＳプロトコールにより規定されるようにポリシーサーバに登録する。異なるプロトコールを使って登録することもできる。決定ブロック３１５へ移るときアウトソーシングメカニズムを使うかどうかについて決定する（図４と関連説明参照）。
【００３５】
一般に、アウトソーシングメカニズムを選択するとき、サポートノードはポリシーサーバにすべてのＰＤＰコンテクストイベントを扱うマッピングルールを尋ねる。アウトソーシングメカニズムを選択するとき、プロセスはブロック３２０へ戻り、そこではアウトソーシングメカニズムはポリシーサーバによって使われる。アウトソーシングメカニズムを選択しないとき、プロセスは決定ブロック３２５へ進み、プロビジョニングメカニズムを使うかどうかを決定する（図６と関連説明参照）。一般に、プロビジョニングメカニズムの下ではポリシーサーバは対応マッピングルールを、ＰＤＰコンテクストイベント前にネットワークを横切って各サポートノードへプッシュダウンする。プロビジョニングメカニズムがプロビジョニング決定ブロック３２５で選択されると、プロセスはブロック３３０へ進み、その点でプロビジョニングメカニズムが実行される。プロビジョニングメカニズムが選択されないと、プロセスは決定ブロック３３５へ進み、そこでハイブリッドメカニズムを使うかどうかについて決定する。一般に、ハイブリッドメカニズムはアウトソーシングメカニズムとプロビジョニングメカニズムの組合せを使う（図７と関連説明参照）。ハイブリッドメカニズムを選択するときプロセスはブロック３４０へ進み、そこではハイブリッドメカニズムを使用する。
【００３６】
図４はアウトソーシングメカニズムを使用するプロセスを示す。例示するという目的で単一のサポートノードのためのプロセスを説明する。開始ブロックの後プロセスはブロック４１０へ進み、そこではサポートノードがポリシーサーバに登録する。決定ブロック４１５へ移って、ＰＤＰコンテクストイベントが発生しているかどうかについてサポートノードにおいて決定がなされる。ＰＤＰコンテクストイベントが起こっていないとき、プロセスはブロック４２０へ進み、その点でロジックはＰＤＰコンテクストイベントを待つ。コンテクストイベントが起きていたら、プロセスはブロック４２５に進み、そこでＰＤＰコンテクストイベントを受けたサポートノードはポリシーサーバにそのイベントをどう処理するかについての対応マッピングルールを尋ねる。ブロック４３０に進むとサポートノードは、マッピングルールを含むポリシーサーバから応答を受けたかどうかを決定する。ポリシーサーバから応答を受け取っていないときはサポートノードは応答を待つ（ブロック４３５）。ポリシーサーバから応答を受けとっていたとき、プロセスはブロック４４０へ進み、そこでマッピングルールはサポートノードにより実行される。次に、プロセスは終了ブロックへ進み、他のアクションを処理するところへ戻る。
【００３７】
サポートノードと比較して複雑なマッピングルールをポリシーサーバは仕切ることができる。ポリシーサーバはそのイベントについての決定をできるからである。それ故、ネットワーク上のサポートノードは複雑なロジックを蓄積し，実行する必要がある。加えて、アウトソーシングメカニズムは動いているユーザーにとって利点を有している。ＳＧＳＮとＧＧＳＮとがポリシーサーバからマッピングルールを得るので、ＱｏＳはユーザーに対しては変わらない。例えば、ユーザーが彼等のホームモバイルネットワーク内を動いていて、ＰＤＰコンテクストイベントが発生すると同じポリシーサーバに尋ねる。ユーザーが彼等のホームモバイルネットワークを出て動いているとき、ユーザーのホームモバイルネットワークポリシーサーバにコンタクトして適切なマッピングルールを決めることができる。
【００３８】
図５はＰＤＰコンテクストイベントの例としてのフロー５００とアウトソーシングメッセージのフローを示している。この図に示すように、メッセージフロー５００はＭＳ５１０、ＵＭＴＳテレストリアルラジオアクセスネットワーク（ＵＴＲＡＮ）５１５、ＳＧＳＮ５２０、ＧＧＳＮ５２５、ポリシーサーバ５３０をこの順に含む。ＭＳ５１０、ＵＴＲＡＮ５１５、ＳＧＳＮ５２０、ＧＧＳＮ５２５、そしてポリシーサーバ５３０がメッセージの開始点と終了点である。例としてのメッセージフローを説明する。第１に、ＭＳ５１０は「ＰＤＰコンテクストリクエストをアクチベートする」メッセージ５３５をＳＧＳＮ５２０へ送り、第２に、ＳＧＳＮ５２０が「ＰＤＰコンテクストリクエストをつくる」メッセージ５４０をＧＧＳＮ５２５へ送る。第３にＧＧＳＮ５２５は「リクエスト」メッセージ５４５をポリシーサーバ５３０へ送る。第４に、ポリシーサーバ５３０は「決定」メッセージ５５０をＧＧＳＮ５２０へ送る。第５に、ＧＧＳＮ５２５は「リポート」メッセージ５５５をポリシーサーバ５３０へ戻す。第６に、ＧＧＳＮ５２５が「ＰＤＰコンテクスト応答をつくる」メッセージ５６０をＳＧＳＮ５２０へ送る。第７にＳＧＳＮ５２０は「ＰＯＰコンテクストアクセプトをアクチベートする」メッセージ５６５をＭＳ５１０へ送る。第８に、ＳＧＳＮ５２０は「リクエスト」メッセージ５７０をポリシーサーバ５３０へ送る。第９にポリシーサーバ５３０は「決定」メッセージ５７５をＳＧＳＮ５２０へ送る。最後第１０に、ＳＧＳＮ５２０は「レポート」メッセージ５８０をポリシーサーバ５３０へ戻す。
【００３９】
リクエストメッセージ（第３メッセージ５４５と第８メッセージ５７０）において、ＳＧＳＮ５２０とＧＧＳＮ５３５とはＭＳＩＳＤＮナンバーとＭＳ５１０に関連のＱｏＳ属性とを含む。リクエストメッセージもＰＤＰコンテクストイベントを特定するハンドルを含んでいる。決定メッセージ（第４メッセージ５５０と第９メッセージ５７５）はポリシーサーバ５３０から得たオペレーター規定ルールで決めたＤＳＣＰを含む。ＰＤＰコンテクストイベントがデアクチベーションプロシージャであるとき、ＳＧＳＮ５２０とＧＧＳＮ５２５とは削除リクエストメッセージをポリシーサーバ５３０へ送る。削除リクエストメッセージはポリシーサーバにＰＤＰコンテクストが存在していないことを知らせる。
【００４０】
図６はサポーティングノード上のプロビジョニングメカニズムのためのプロセスを示す。開始ブロックの後プロセスは６１０へ進み、そこでサポートノードはブートアップ上のポリシーサーバに登録する。ポリシーサーバに登録後サポートノードはポリシーリクエスト６１５をポリシーサーバに送りマッピングルールを要求する。ブロック６２０へ進み、サポートノードはポリシーサーバからマッピングルールを受けるのを待つ。決定ブロック６２５に移るときマッピングルールが受け取られる時について決定する。マッピングルールが受け取られていないときはロジックはブロック６２０へ戻る。マッピングルールが受け取られているとそのマッピングルールはサポートノードにより蓄積される６３０。決定ブロック６３５へ移るとき、ＰＤＰコンテクストイベントが起こっているかどうかについての決定がなされる。ＰＤＰコンテクストイベントが起きていると、ロジックはブロック６５０へ進み、そこでＰＤＰコンテクスト蓄積ルールに適当なマッピングルールが実行される。例えば、サポートノードはポリシーサーバから得たマッピングルールに従ってＤＳＣＰを決定する。
【００４１】
ＰＤＰコンテクストイベントが起きていないと、プロセスはブロック６４０へ進み、その点でプロセスはポリシーサーバによりサポートノードへ送られた更新されたルールをモニターする。決定ブロック６４５へ進むと、更新されたマッピングルールがポリシーサーバによりサポートノードへプッシュダウンされたかどうかについて決定する。更新されたマッピングルールが受け取られているとき、プロセスはブロック６３０へ戻り、その点でその更新されたルールを蓄積する。更新されたマッピングルールが受け取られていないとき、プロセスはブロック６４０へ戻り、モニターを続ける。プロセスは終了ブロックへ進み、そして他のアクションを処理する。
【００４２】
プロビジョニングメカニズムはいくつもの利点を有する。マッピングルールがサポートノードへ一旦プッシュダウンされると、コール毎の決定にポリシーサーバは巻き込まれることはなく、それによりポリシーサーバのリソースを節約する。加えて、マッピングルールはリアルタイムでプッシュダウンされる必要はなく、それにより処理パワー、バンド幅そしてポリシーサーバに関する信頼性要請をセーヴする。
【００４３】
アウトソーシングメカニズムとプロビジョニングメカニズムとの両方を使うサポーティングノード上のハイブリッドメカニズム７００のためのプロセスを図７に示す。開始ブロック後ロジックの流れはブロック７１０へ進み、サポートノードはポリシーサーバに登録する。ポリシーサーバに登録後、サポートノードはポリシーリクエストをポリシーサーバに送り、デフォルトマッピングルールを要求する（ブロック７１５）。ブロック７２０に進むと、サポートノードはデフォルトマッピング受け取るの待つ。決定ブロック７２５に移ると、デフォルトマッピングルールが受け取られるときについて決定する。デフォルトルールが受け取られていないとき、プロセスはブロック７２０へ戻り、待ちつづける。デフォルトルールが受け取られているときは、サポートノードによりそのデフォルトマッピングルールを蓄積する７３０。決定ブロック７３５へ進むと、到来ＰＤＰコンテクストイベントがあるかどうかについて決定する。ＰＤＰコンテクストイベントが起こっていないときは、プロセスはブロック７４０に流れ、その点でプロセスは更新されたデフォルトルールをモニターする。決定ブロック７４５へ進んだとき、ポリシーサーバによりサポートノードへ更新されたデフォルトマッピングがプッシュダウンされているかどうかについて決定する。デフォルトの更新されたマッピングルールが受け取られたとき、プロセスはブロック７３０へ戻り、その点でその更新されたデフォルトマッピングルールを蓄積する。デフォルトの更新されたマッピングルールが受け取られないとき、プロセスは決定ブロック７３５へ戻って、ＰＤＰコンテクストイベントが発生したときを決定する。ＰＤＰコンテクストイベントが起きていたときはサポートノードに蓄積されたデフォルトルールがブロック７５０でプロセスにより走査される。決定ブロック７５５へ進んだとき、ＰＤＰコンテクストにとってデフォルトルールのどれが適切であるかどうかについての決定がなされる。ＰＤＰコンテクストにとってそのデフォルトルールが適切でないときは、ロジックはブロック７６０へ進み、その点でサポートノードはアウトソーシングメカニズムを使ってポリシーサーバに尋ねる（図４と関連説明参照）。プロセスがブロック７６５へ進むと、その点でポリシーサーバから受け取ったマッピングルールを実行する。デフォルトルールが適切であると、プロセスはブロック７７０へ進みそこでデフォルトルールはサポートノードにより実行される。それからプロセスは終了ブロックへ進み、そして他のアクションを処理するため戻る。
【００４４】
ハイブリッドメカニズムは大きさと簡単さとの釣り合いが取れている。動き回っているユーザーの場合ユーザー規定マッピングルールはデフォルトルールとしてそのユーザーの一次のＳＧＳＮとＧＧＳＮへプッシュダウンされる。ユーザーが動き回り、そして他のＳＧＳＮとＧＧＳＮを使ってトラヒックを処理しているとき、これらのサポートノードはポリシーサーバにそのユーザーに対して関連マッピングルールをプッシュダウンするよう頼む。加えて、複雑なルールはポリシーサーバにより保持され、それによりサポートノードのためかなりのリソースをフリーにする。
【００４５】
モバイルＩＰネットワーク上のサポートノードにポリシーサーバが応答するプロセスを図８に示す。開始ブロックの後プロセスはブロック８１０へ進み、そこでポリシーサーバはサポートノードからのリクエストを待つ。そのリクエストは登録のための初期化リクエスト、終了リクエスト、もしくはポリシーリクエストである。決定ブロック８１５へ移ると、リクエストを受け取ったかどうかを決定する。リクエストが受け取られていないとき、プロセスはブロック８２０へ進み、そこでポリシーサーバはリクエストを待つ。リクエストが受け取られているとき、ポリシーサーバはリクエストに応答する８２５。アウトソーシングメカニズムが選択されたとき、ＰＤＰコンテクストイベント毎にサポートノードへ適切なマッピングルールがプッシュダウンされる。プロビジョニングメカニズムが選択されると、サポートノードのためポリシーサーバ上での今のマッピングルールがプッシュダウンされてくる。ハイブリッドメカニズムが選択されると、デフォルトルールがサポートノードへプッシュダウンされる。ハイブリッドメカニズムの下ではポリシーサーバも、受け取ったＰＤＰコンテクストに対応するルールを持っていないサポートノードによりどのようなリクエストにも応答する。
【００４６】
決定ブロック８３０へ進んだときマッピングルールが更新されたかどうかについて決定する。オペレーターはポリシーサーバ上で常にマッピングルールを更新する。マッピングルールを更新するとき、プロセスはブロック８３５へ進み、そこでルールが更新される。ポリシーサーバ上でルールが更新されるとき、そしてプロビジョニングメカニズムが選択されるとき、その更新されたルールはネットワーク上でその影響されたサポートノードへプッシュダウンされる。ハイブリッドメカニズムが選択され、そしてその更新されたルールがデフォルトルールに作用すると、その更新されたルールがネットワーク上のその影響されたサポートノードへプッシュダウンされる。ルールが更新されないときは、プロセスはブロック８１０へ戻ってリクエストをモニターする。プロセスは終了ブロックへ進み、それから戻って他のアクションを処理する。
【００４７】
本発明の製作と利用について例とデータとを挙げて上に詳しく述べた。本発明の技術思想は請求の範囲に記載されており、その範囲内で種々に実施例を変更できる。
【図面の簡単な説明】
【００４８】
【図１】本発明がその中で使われる例としてのモバイルＩＰネットワークを示す。
【図２】モバイルＩＰネットワークを横切ってＳＧＳＮとＧＧＳＮとの両方へマッピングルールを提供する例としてのポリシーサーバを示す。
【図３】ネットワークを横切ってサポートノード上でマッピングポリシーを展開するポリシーベースのメカニズムを実施するプロセスの全体図である。
【図４】アウトソーシングメカニズムを使うロジックフローである。
【図５】ＰＤＰイベントのための例示としてのメッセージフローとアウトソーシングメッセージフローを示す。
【図６】プロビジョニングメカニズムを使うロジックフローを示す。
【図７】アウトソーシングメカニズムとプロビジョニングメカニズムの両方を使うハイブリッドメカニズムのロジックフローである。
【図８】本発明の特徴にしたがって、ネットワーク上のサポートノードに応答するポリシーサーバのロジックフローを示す。
【符号の説明】
【００４９】
１０５  移動局
１１５  ＳＧＳＮ
１３５  ＧＧＳＮ
２００  ポリシーサーバ
【図１】
2008072763.tif 000003
【図２】
2008072763.tif 000004
【図３】
2008072763.tif 000005
【図４】
2008072763.tif 000006
【図５】
2008072763.tif 000007
【図６】
2008072763.tif 000008
【図７】
2008072763.tif 000009
【図８】
2008072763.tif 000010
【手続補正書】
【提出日】平成19年12月19日(2007.12.19)
【手続補正１】
【補正対象書類名】特許請求の範囲
【補正対象項目名】全文
【補正方法】変更
【補正の内容】
【特許請求の範囲】
【請求項１】
少なくとも１つのＳＧＳＮ（serving general packet radio service support node）と少なくとも１つのＧＧＳＮ（gateway general packet radio service support node）とを含むサポートノードを備えたモバイルネットワークにおける方法であって、
前記モバイルネットワークにおける２つの層の間においてクオリティオブサービスをマッピングするための少なくとも１つのマッピングルールを、ポリシーサーバに記憶する段階と、
前記サポートノードのうちの少なくとも１つのサポートノードからリクエストを受信する段階と、
前記ポリシーサーバから前記少なくとも１つのサポートノードに対して少なくとも１つのマッピングルールを送信する段階と、
を含むことを特徴とする方法。
【請求項２】
クオリティオブサービスプロファイルから属性を選択する段階と、
選択された前記属性と識別子とを用いて少なくとも１つのマッピングルールを生成する段階と、
を含む、請求項１に記載の方法。
【請求項３】
前記属性が、移動加入者番号（ＭＳＩＳＤＮ）、トラフィッククラス、最大ビットレート、保証されたビットレート、転送遅延、トラフィック処理優先度、及び、割り当て優先度から選択される、請求項２に記載の方法。
【請求項４】
アウトソーシングメカニズム、プロビジョニングメカニズム及びハイブリッドメカニズムから管理メカニズムを選択する段階を含む、請求項１から請求項３のいずれかに記載の方法。
【請求項５】
前記アウトソーシングメカニズムが選択された場合に、
パケットデータプロトコルコンテキストイベントが発生したときに、
前記リクエストが、前記パケットデータプロトコルコンテキストイベントを処理するための少なくとも１つのマッピングルールに対するリクエストを含み、
前記送信する段階が、前記少なくとも１つのサポートノードに対して前記パケットデータプロトコルコンテキストイベントを処理するための少なくとも１つのマッピングルールを送信すること、を含む、請求項４に記載の方法。
【請求項６】
前記プロビジョニングメカニズムが選択された場合に、
前記リクエストが、前記ポリシーサーバに登録した前記少なくとも１つのサポートノードによりなされ、
前記ポリシーサーバから前記少なくとも１つのサポートノードに対して少なくとも１つのマッピングルールを送信する前記段階が、前記登録に応答している、請求項４に記載の方法。
【請求項７】
前記ポリシーサーバから受信した前記少なくとも１つのマッピングルールを前記少なくとも１つのサポートノードに記憶する段階を含む、請求項６に記載の方法。
【請求項８】
前記少なくとも１つのマッピングルールが更新されているかどうかを決定する段階と、
更新されたマッピングルールを記憶する段階と、
前記少なくとも１つのサポートノードに対して更新されたマッピングルールを送信する段階と、を含む、請求項６又は請求項７に記載の方法。
【請求項９】
前記ハイブリッドメカニズムが選択された場合に、
前記ポリシーサーバから前記少なくとも１つのサポートノードに対してデフォルトマッピングルールを送信する段階を含み、
パケットデータプロトコルコンテキストイベントが、デフォルトマッピングルールによって処理されない前記少なくとも１つのサポートノードに関連して発生したときに、前記リクエストが、前記パケットデータプロトコルコンテキストイベントを処理するための別のマッピングルールに対するリクエストを含み、前記送信する段階が、前記パケットデータプロトコルイベントに適した前記別のマッピングルールを送信することを含む、請求項４に記載の方法。
【請求項１０】
前記ポリシーサーバから受信したデフォルトマッピングルールを前記少なくとも１つのサポートノードに記憶する段階を含む、請求項９に記載の方法。
【請求項１１】
少なくとも１つのデフォルトマッピングルールが更新されているかどうかを決定する段階と、
更新されたデフォルトマッピングルールを記憶する段階と、
前記少なくとも１つのサポートノードに対して更新されたデフォルトマッピングルールを送信する段階と、
を含む、請求項９又は請求項１０に記載の方法。
【請求項１２】
モバイルネットワークにおける２つの層の間においてクオリティオブサービスをマッピングするための少なくとも１つのマッピングルールを与えるように構成された装置であって、
前記ネットワークにおけるサポートノードであって少なくとも１つのＳＧＳＮ（serving general packet radio service support node）と少なくとも１つのＧＧＳＮ（gateway general packet radio service support node）とを含むサポートノードと通信するように構成されたネットワークインタフェースと、
少なくとも１つのマッピングルールを記憶するように構成された記憶装置と、
を具備し、
少なくとも１つのサポートノードからリクエストを受信するように、かつ、該少なくとも１つのサポートノードに対して少なくとも１つのマッピングルールを送信するように構成されている、
ことを特徴とする装置。
【請求項１３】
クオリティオブサービスプロファイルから属性を選択するように、かつ、選択された前記属性と識別子とを用いて少なくとも１つのマッピングルールを生成するように構成された、請求項１２に記載の装置。
【請求項１４】
前記属性が、移動加入者番号（ＭＳＩＳＤＮ）、トラフィッククラス、最大ビットレート、保証されたビットレート、転送遅延、トラフィック処理優先度、及び、割り当て優先度から選択される、請求項１３に記載の装置。
【請求項１５】
アウトソーシングメカニズム、プロビジョニングメカニズム及びハイブリッドメカニズムから管理メカニズムを選択する段階を含む、請求項１２から請求項１４のいずれかに記載の装置。
【請求項１６】
前記プロビジョニングシステムが選択された場合に、
前記リクエストが、前記装置に登録した前記少なくとも１つのサポートノードによりなされ、
前記登録に応答して、前記少なくとも１つのマッピングルールを少なくとも１つのサポートノードに送信するように構成されている、請求項１５に記載の装置。
【請求項１７】
少なくとも１つのマッピングルールが更新されているかどうかを決定し、
更新されたマッピングルールを記憶し、
前記少なくとも１つのサポートノードに対して更新されたマッピングルールを送信する、ように構成されている、請求項１６に記載の装置。
【請求項１８】
前記ハイブリッドメカニズムが選択された場合に、
デフォルトマッピングルールを前記少なくとも１つのサポートノードに送信し、
前記リクエストがパケットデータプロトコルコンテキストイベントを扱うための別のマッピングルールに対するリクエストを含むときに、該パケットデータプロトコルコンテキストイベントに適した別のマッピングルールを前記少なくとも１つのサポートノードに送信する、
ように構成されている、請求項１５に記載の装置。
【請求項１９】
前記デフォルトマッピングルールが更新されているかどうかを決定し、
更新されたデフォルトマッピングルールを記憶し、
更新されたデフォルトマッピングルールを前記少なくとも１つのサポートノードに送信する、
ように構成されている、請求項１８に記載の装置。
【請求項２０】
前記アウトソーシングメカニズムが選択された場合に、
前記リクエストがマッピングルールに対するリクエストを含むときに、パケットデータプロトコルコンテキストイベントを扱うための少なくとも１つのマッピングルールを前記少なくとも１つのサポートノードに対して送信し、
該パケットデータプロトコルコンテキストイベントを扱う、
ように構成されている、請求項１５に記載の装置。
【請求項２１】
少なくとも１つのＳＧＳＮ（serving general packet radio service support node）と少なくとも１つのＧＧＳＮ（gateway general packet radio service support node）とを含むサポートノードと、
モバイルネットワークにおける２つの層の間においてクオリティオブサービスをマッピングするための少なくとも１つのマッピングルールを生成するように構成されたポリシーサーバと、
を具備するシステムであって、
前記ポリシーサーバが、
前記サポートノードと通信するように構成されたネットワークインタフェースと、
前記少なくとも１つのマッピングルールを記憶するように構成された記憶装置と、を具備し、
前記ポリシーサーバが、
少なくとも１つのサポートノードからリクエストを受信し、少なくとも１つのマッピングルールを前記少なくとも１つのサポートノードに対して送信する、
ように構成されている、
ことを特徴とするシステム。
【請求項２２】
前記ポリシーサーバが、さらに、
クオリティオブサービスプロファイルから属性を選択し、
選択された属性と識別子とを用いて少なくとも１つのマッピングルールを生成する、
ように構成されている、請求項２１に記載のシステム。
【請求項２３】
前記属性が、移動加入者番号（ＭＳＩＳＤＮ）、トラフィッククラス、最大ビットレート、保証されたビットレート、転送遅延、トラフィック処理優先度、及び、割り当て優先度から選択される、請求項２２に記載のシステム。
【請求項２４】
さらに、アウトソーシングメカニズム、プロビジョニングメカニズム及びハイブリッドメカニズムから管理メカニズムを選択するように構成されている、請求項２１から請求項２３のいずれかに記載のシステム。
【請求項２５】
前記プロビジョニングシステムが選択された場合に、
前記リクエストが、前記ポリシーサーバに登録した前記少なくとも１つのサポートノードによりなされ、
前記登録に応答して、少なくとも１つのマッピングルールを前記少なくとも１つのサポートノードに送信するように構成されている、請求項２４に記載のシステム。
【請求項２６】
前記少なくとも１つのサポートノードが、前記ポリシーサーバから受信した前記少なくとも１つのマッピングルールを記憶するように構成されている、請求項２５に記載のシステム。
【請求項２７】
前記ポリシーサーバが、
少なくとも１つのマッピングルールが更新されているかどうかを決定し、
更新されたマッピングルールを記憶し、
更新されたマッピングルールを前記少なくとも１つのサポートノードに送信する、
ように構成されている、請求項２５又は請求項２６に記載のシステム。
【請求項２８】
前記ハイブリッドシステムが選択された場合に、
前記ポリシーサーバが、デフォルトマッピングルールを前記少なくとも１つのサポートノードに送信するように構成されており、
パケットデータプロトコルコンテキストイベントが、前記デフォルトマッピングルールにより取り扱われない前記少なくとも１つのサポートノードに関連して発生したときに、
前記リクエストが、前記パケットデータプロトコルコンテキストイベントを扱うための別のマッピングルールに対するリクエストを含み、
前記ポリシーサーバが、該パケットデータプロトコルコンテキストイベントに適したマッピングルールを前記少なくとも１つのサポートノードに送信するように構成されている、請求項２４に記載のシステム。
【請求項２９】
前記少なくとも１つのサポートノードが、前記ポリシーサーバから受信した前記デフォルトマッピングルールを記憶するように構成されている、請求項２８に記載のシステム。
【請求項３０】
前記ポリシーサーバが、
前記デフォルトマッピングルールが更新されているかどうかを決定し、
更新されたデフォルトマッピングルールを記憶し、
更新されたデフォルトマッピングルールを前記少なくとも１つのサポートノードに送信する、
ように構成されている、請求項２８又は請求項２９に記載のシステム。
【請求項３１】
前記アウトソーシングメカニズムが選択された場合に、
パケットデータプロトコルコンテキストイベントが発生したときに、
前記リクエストが、該パケットデータプロトコルコンテキストイベントを扱うための少なくとも１つのマッピングルールに対するリクエストを含み、
前記ポリシーサーバが、該パケットデータプロトコルコンテキストイベントを扱うための少なくとも１つのマッピングルールを前記少なくとも１つのサポートノードに送信するように構成されている、請求項２４に記載のシステム。
【請求項３２】
モバイルネットワークにおける装置であって、
ＳＧＳＮ（serving general packet radio service support node）又はＧＧＳＮ（gateway general packet radio service support node）と、
前記モバイルネットワークにおけるポリシーサーバと通信するように構成されたネットワークインタフェースユニットと、
を具備し、
リクエストを前記ポリシーサーバに送信し、前記モバイルネットワークにおける２つの層の間においてクオリティオブサービスをマッピングするための少なくとも１つのマッピングルールを受信する、ように構成されている、
ことを特徴とする装置。
【請求項３３】
さらに、アウトソーシングメカニズム、プロビジョニングメカニズム及びハイブリッドメカニズムから管理メカニズムを選択するように構成されている、請求項３２に記載の装置。
【請求項３４】
前記プロビジョニングシステムが選択された場合、
前記リクエストが、前記ポリシーサーバに登録した前記装置によりなされ、
前記少なくとも１つのマッピングルールが前記登録に応答して前記ポリシーサーバから受信される、請求項３３に記載の装置。
【請求項３５】
前記ポリシーサーバから受信した前記少なくとも１つのマッピングルールを記憶するように構成されている、請求項３４に記載の装置。
【請求項３６】
更新されたマッピングルールを前記ポリシーサーバから受信するように構成されている、請求項３４又は請求項３５に記載の装置。
【請求項３７】
前記ハイブリッドシステムが選択された場合、
当該装置が、前記ポリシーサーバからデフォルトマッピングルールを受信するように構成されており、
パケットデータプロトコルコンテキストイベントが、前記デフォルトマッピングルールにより取り扱われない当該装置に関連した発生したときに、前記リクエストが、該パケットデータプロトコルコンテキストイベントを扱うための別のマッピングルールに対するリクエストを含んでおり、
当該装置が、該パケットデータプロトコルコンテキストイベントに適したマッピングルールを前記ポリシーサーバから受信するように構成されている、請求項３３に記載の装置。
【請求項３８】
前記ポリシーサーバから受信された前記デフォルトマッピングルールを記憶するように構成されている、請求項３７に記載の装置。
【請求項３９】
更新されたデフォルトマッピングルールを前記ポリシーサーバから受信するように構成されている、請求項３７又は請求項３８に記載の装置。
【請求項４０】
前記アウトソーシングメカニズムが選択された場合、
パケットデータプロトコルコンテキストイベントが当該装置に関連して発生したときに、
前記リクエストが、該パケットデータプロトコルコンテキストイベントを扱うための少なくとも１つのマッピングルールに対するリクエストを含み、
該少なくとも１つのマッピングルールが、前記パケットデータプロトコルコンテキストイベントを扱うためのものである、請求項３３に記載の装置。